(57)【要約】【課題】コンテナなどの扉に使用するのに適し、構造が単純でかつ組み立てが容易であり、またロック状態の表示を可能とした扉開閉ハンドル装置を提供すること。【解決手段】扉開閉ハンドル装置１は、一端側を支点として他端側をハウジング３の凹所２から起伏可能に収納されたハンドル４を備え、固定枠体に旋回可能な扉にハウジング３を装着して使用される。凹所に収納されたハンドルの起立を防止するロック用係止手段１５は、直線方向へ往復動可能な第１係止部１３及びこれが係止する第２係止部１４からなる。ハンドル部７は、起立方向へ旋回したとき第１係止部１３を移動させてこれを第２係止部１４から離脱させるレバー部７ｄを有する。ハンドル本体部６には、インジケーター１８が設けられている。ハンドル本体部６の旋回は、旋回軸を中心として前端部６ａを回動し、施錠用ロッド５を回転させる。【選択図】      図４
2004176471.tif 000002
【特許請求の範囲】
【請求項１】
ハンドル収納用の凹所を備えるハウジングと、一端側を支点として他端側を前記凹所から起伏可能に収納されたハンドルとを備え、固定枠体に旋回可能に取り付けられた扉に前記ハウジングを装着して使用する扉開閉ハンドル装置において、
前記扉開閉ハンドル装置が、前記ハンドルを前記凹所内に収納したとき、前記ハンドルの起立を防止する相互に係脱可能なロック用係止手段と、前記扉に回転可能に取り付けられていて前記固定枠体の受け金に出入り可能な係止片を有する扉開閉ロッドに対して連結可能な一端部および前記凹所内に位置する他端部を有し、前記ハウジングに回転可能に支持されて前記他端部から前記一端部へ向かう方向が前記凹所の内側から外側へ延びる施錠用ロッドとを有し、
前記ハンドルが、前記施錠用ロッドと交差する方向において前端部およびこの前端部とは反対側の後端部を有していて、前記前端部を前記支点として前記施錠用ロッドと軸心を同じくする旋回軸を中心に旋回可能に前記ハウジングに取り付けられたハンドル本体部と、前記ハンドル本体部の前記後端部に、該後端部からさらに後方向へ延出するように取り付けられ、前記ハンドル本体部の前記旋回軸に平行な軸を中心に該ハンドル本体部に対して所定角度範囲を旋回可能であり、前記所定角度範囲を旋回した後は前記ハンドル本体部と一体に前記旋回軸を中心に旋回するハンドル部とを有し、
前記ロック用係止手段が、前記ハンドル本体部に前記旋回軸と直交する方向へ往復運動可能に設けられ、前記直交する方向の一方へバネ付勢された第１係止部と、前記ハウジングの前記凹所に配置され、前記ハンドル本体部を前記凹所に収納したときに前記第１係止部に係止する第２係止部とから構成され、
前記ハンドル部は、前記凹所から起立する方向へ旋回したときに前記第１係止部をバネ付勢に抗して前記一方とは反対の方向へ移動させて該第１係止部を前記第２係止部から離脱させた後に前記ハンドル本体部と一体になって前記凹所から起立する方向へ旋回することが可能に形成され、前記ハンドル本体部の旋回に伴って前記施錠用ロッドを回転させることができることを特徴とする扉開閉ハンドル装置。
【請求項２】
前記ハンドル本体部には、前記ロック用係止手段の前記第１係止部が前記第２係止部に係止しているロック状態と前記第２係止部から離脱した非ロック状態とを表示するインジケーターが取り付けられ、
前記インジケーターは、前記ハンドル本体部に形成された表示窓と、前記ハンドル本体部の前記凹所から起立する方向とその反対方向とへの旋回に対応して前記表示窓にロック状態と非ロック状態とを交互に表示する第１表示と第２表示とを有し、前記第２表示を表示する方向へバネ付勢された移動体とを有し、
前記移動体は、前記第１係止部が前記第２係止部に係止すると、該第２係止部に当接し、前記第１表示が前記表示窓に現れるように移動して前記ロック状態が表示され、前記第１係止部が前記第２係止部から離脱すると、前記移動体がバネ付勢により前記第２表示を前記表示窓に現して、前記ロック状態から前記非ロック状態に表示が変更される請求項１に記載の扉開閉ハンドル装置。
【請求項３】
前記第２係止部が、前記凹所の前記底面にスライド可能に取り付けられ、かつ前記第１係止部と係止する方向へバネ付勢されていて、前記第１係止部が前記第２係止部を付勢するバネ力に抗して該第２係止部をスライドさせて係止する請求項１又は２のいずれかに記載の扉開閉ハンドル装置。
【発明の詳細な説明】
【０００１】
【発明の属する技術分野】
本発明は扉開閉ハンドル装置に関し、さらに詳細には、例えば、コンテナなどの扉に取り付けて使用するのに適する扉開閉ハンドル装置に関する。
【０００２】
【従来の技術】
従来、この種の扉開閉ハンドル装置は、例えば、コンテナなどの扉を開け閉めする際に使用するものとしてよく知られている（例えば、特許文献１参照。）。特許文献１に開示されている扉用ロックハンドル装置は、扉に埋込み固着されるケースに基端部を枢軸によって枢着した操作レバーと、この操作レバーの先端部に基端部を前記枢軸と平行な別の枢軸によって枢着したハンドルとを備えている。操作レバーの中間部における背面凹所には、ケースの底壁板に支持された受軸に係脱するラッチレバーが回転可能に取り付けられ、また、このラッチレバーの側面肩部に係脱するトリガーレバーが枢着されている。他方、ハンドルの基端部には駆動突起が設けられ、この駆動突起は、ハンドルを操作したときトリガーレバーの先端爪部における前面受動部を押圧して、トリガーレバーをラッチレバーから離脱させるように作用する。
【０００３】
【特許文献１】
特公平８−２３２４１号公報
【０００４】
【発明が解決しようとする課題】
特許文献１に開示された扉用ロックハンドル装置は、操作レバーをロック状態に維持しかつその状態から非ロック状態に解除する手段として、回転可能なラッチレバーやトリガーレバーなどを用いているため、機構が複雑であり、扉用ロックハンドル装置の組み立てに手間が掛かるという問題があった。また、特許文献１に開示された扉用ロックハンドル装置では、操作レバーがロック状態となっているか否かを目で見ただけでは分からない、という問題があった。
【０００５】
本発明の目的は、例えば、コンテナなどの扉に使用するのに適し、構造が単純でかつ組み立てが容易であり、さらにロック状態の表示を可能とした扉開閉ハンドル装置を提供することにある。
【０００６】
【課題を解決するための手段】
前記課題を解決するための本発明の前提は、ハンドル収納用の凹所を備えるハウジングと、一端側を支点として他端側を前記凹所から起伏可能に収納されたハンドルとを備え、固定枠体に旋回可能に取り付けられた扉に前記ハウジングを装着して使用する扉開閉ハンドル装置である。
【０００７】
この前提における本発明の特徴として、前記扉開閉ハンドル装置が、前記ハンドルを前記凹所内に収納したとき、前記ハンドルの起立を防止する相互に係脱可能なロック用係止手段と、前記扉に回転可能に取り付けられていて前記固定枠体の受け金に出入り可能な係止片を有する扉開閉ロッドに対して連結可能な一端部および前記凹所内に位置する他端部を有し、前記ハウジングに回転可能に支持されて前記他端部から前記一端部へ向かう方向が前記凹所の内側から外側へ延びる施錠用ロッドとを有し、前記ハンドルが、前記施錠用ロッドと交差する方向において前端部およびこの前端部とは反対側の後端部を有していて、前記前端部を前記支点として前記施錠用ロッドと軸心を同じくする旋回軸を中心に旋回可能に前記ハウジングに取り付けられたハンドル本体部と、前記ハンドル本体部の前記後端部に、該後端部からさらに後方向へ延出するように取り付けられ、前記ハンドル本体部の前記旋回軸に平行な軸を中心に該ハンドル本体部に対して所定角度範囲を旋回可能であり、前記所定角度範囲を旋回した後は前記ハンドル本体部と一体に前記旋回軸を中心に旋回するハンドル部とを有し、前記ロック用係止手段が、前記ハンドル本体部に前記旋回軸と直交する方向へ往復運動可能に設けられ、前記直交する方向の一方へバネ付勢された第１係止部と、前記ハウジングの前記凹所に配置され、前記ハンドル本体部を前記凹所に収納したときに前記第１係止部に係止する第２係止部とから構成され、前記ハンドル部は、前記凹所から起立する方向へ旋回したときに前記第１係止部をバネ付勢に抗して前記一方とは反対の方向へ移動させて該第１係止部を前記第２係止部から離脱させた後に前記ハンドル本体部と一体になって前記凹所から起立する方向へ旋回することが可能に形成され、前記ハンドル本体部の旋回に伴って前記施錠用ロッドを回転させることができること、にある。
【０００８】
本発明の実施の態様の一例として、前記ハンドル本体部には、前記ロック用係止手段の前記第１係止部が前記第２係止部に係止しているロック状態と前記第２係止部から離脱した非ロック状態とを表示するインジケーターが取り付けられ、前記インジケーターは、前記ハンドル本体部に形成された表示窓と、前記ハンドル本体部の前記凹所から起立する方向とその反対方向とへの旋回に対応して前記表示窓にロック状態と非ロック状態とを交互に表示する第１表示と第２表示とを有し、前記第２表示を表示する方向へバネ付勢された移動体とを有し、
前記移動体は、前記第１係止部が前記第２係止部に係止すると、該第２係止部に当接し、前記第１表示が前記表示窓に現れるように移動して前記ロック状態が表示され、前記第１係止部が前記第２係止部から離脱すると、前記移動体がバネ付勢により前記第２表示を前記表示窓に現して、前記ロック状態から前記非ロック状態に表示が変更されることを特徴とする。
【０００９】
また、本発明の実施の態様の他の一例として、前記第２係止部が、前記凹所の前記底面にスライド可能に取り付けられ、かつ前記第１係止部と係止する方向へバネ付勢されていて、前記第１係止部が前記第２係止部を付勢するバネ力に抗して該第２係止部をスライドさせて係止することを特徴とする。
【００１０】
【発明の実施の形態】
添付の図面を参照し、本発明に係る扉開閉ハンドル装置の詳細を説明すると、以下のとおりである。図１は、ハンドル４がハウジング３の凹所２内に収納された状態の扉開閉ハンドル装置１の平面図であり、図２は、図１のＩＩ−ＩＩ線で切断して示す扉開閉ハンドル装置１の断面図であり、図３は、図１のＩＩＩ−ＩＩＩ線で切断して示す扉開閉ハンドル装置１の断面図であり、図４は、ハンドル４を起立させた状態で示す扉開閉ハンドル装置１の斜視図である。扉開閉ハンドル装置１は、前端部３ａからそれとは反対側の後端部３ｂへ延びるハンドル収納用の凹所２を備えるハウジング３と、凹所２に収納され、一端側を支点として他端側を凹所２の底面２ａとその上部との間で旋回可能なハンドル４とを備えている。扉開閉ハンドル装置１は、コンテナの固定枠体に旋回可能に取り付けられた扉の取付け孔（いずれも図示せず）にハウジング３を装着して使用される。
【００１１】
ハウジング３の前端部３ａにおいて、凹所２を画成している対向する側壁２ｂには、各側壁２ｂを介して凹所２の内外へ延び、中心線が同一線上に配列された２つの施錠用ロッド５が回転可能に取り付けられている。ハンドル４は、前端部６ａおよびこの前端部６ａとは反対側の後端部６ｂを有するハンドル本体部６と、このハンドル本体部６の後端部６ｂに旋回可能に取り付けられ、該後端部６ｂから後方向へ延出したハンドル部７とを備えている。ハンドル本体部６は、前端部６ａを支点として旋回可能にハウジング３に取り付けられている。具体的には、ハンドル本体部６は、その前端部６ａが各側壁２ｂを介して凹所２内へ延びている施錠用ロッド５の端部外周に固定されている。したがって、ハンドル本体部６の前端部６ａは、同一線上を通る両施錠用ロッド５の中心線を旋回軸線８として回転し、この旋回軸線８を中心とする前端部６ａの回転によりハンドル本体部６の後端部６ｂが旋回する。ハウジング３の前後方向とハンドル本体部６の前後方向とは、ハンドル本体部６がハウジング３の凹所２に収納されているときに一致している。
【００１２】
ハンドル部７は、旋回軸線８とほぼ平行な方向へ延びる握持部７ａと、この握持部７ａの両端から該握持部７ａの長手方向にほぼ直交する方向へ延びる平行な一対のアーム７ｂとからなるコ字形形状を呈している。ハンドル部７の各アーム７ｂそれぞれの端部は、ハンドル本体部６の後端部６ｂにおける両側部に枢軸９により枢着され、各枢軸９の中心線は、旋回軸線８に平行である。
【００１３】
ハンドル本体部６には、ハンドル部７の各アーム７ｂにおける端部の下面側および上面側に位置する第１，２ストッパー板１０，１１が設けられている。第１ストッパー板１０は、ハンドル部７における各アーム７ｂの長さ方向がハンドル本体部６の前後方向に一致する整列状態（例えば、図１〜４に実線で示す状態）にあるとき、各アーム７ｂの下面に当接し、ハンドル本体部６に対して凹所２内に倒伏する方向（図４の矢印Ｙ１で示す方向）へのハンドル部７の旋回を阻止する。また、第２ストッパー板１１は、ハンドル部７が、図２に仮想線で示すようにハンドル本体部６に対して凹所２から起立する方向（図２〜４の矢印Ｙ２で示す方向）へ枢軸９を中心に所定角度範囲だけ旋回したとき、各アーム７ｂの上面に当接し、それ以上のハンドル部７の起立方向の旋回を阻止する。ハンドル部７が、ハンドル本体部６に対して旋回し、各アーム７ｂが第１ストッパー板１０又は第２ストッパー板１１に当接した後は、ハンドル部７への旋回力が各アーム７ｂから各ストッパー板１０，１１を介してハンドル本体部６へ伝達されるので、ハンドル部７はハンドル本体部６と一体になって旋回する。
【００１４】
ハンドル部７には、後述する起動手段として各アーム７ｂの端部から下方向へレバー部７ｃが突出している。各レバー部７ｃの下端前面部には、バネ係止片７ｄが形成され、このバネ係止片７ｄとハンドル本体部６の各側部における上面側に取り付けられた係止ネジとの間にはコイルバネ１２が取り付けられている。ハンドル部７は、これらコイルバネ１２によりハンドル本体部６に対して整列方向へバネ付勢されている。
【００１５】
図５，図６は、いずれもハンドル４を旋回させてハウジング３の凹所内２底面２ａに対してほぼ直角に起立させた状態で示す扉開閉ハンドル装置１の平面図および側面図である。ハンドル本体部６の下面には、図６に示すように凹部６ｃが形成され、その凹部６ｃ内には、前後方向へ可動に設けられた第１係止部１３が設けられている。また、図５に示すようにハウジング３における凹所２内の底面２ａには、ハンドル本体部６を凹所２に収納したとき第１係止部１３に係止する第２係止部１４がハウジング３の前後方向へ移動可能に設けられている。これら第１係止部１３と第２係止部１４とが、ハンドル本体部６を凹所２内に収納したとき、ハンドル本体部６の起立を防止する相互に係脱可能なロック用係止手段１５（図３，６参照）を構成している。
【００１６】
第１係止部１３は、ハンドル本体部６の凹部６ｃを画成する両側壁の後端部６ｂ側に形成されたスロット１６（図２参照）によりガイドされて前後方向へ往復動可能なスライダー１３ａを備え、両スライダー１３ａは、その間に延びる係止棒１３ｂの各端部を固定している。第１係止部１３の各スライダー１３ａは、その後端面とハンドル本体部６における凹部６ｃ内の後端面との間に配置されたコイルバネ１３ｃにより前方向へ付勢されている。
【００１７】
他方、第２係止部１４は、ハウジング３の前後方向に直交する幅方向へ長い基台１４ａの両端側から上方へ突出した逆Ｌ字型の２つのフック１４ｂ（図３，５参照）を備えている。基台１４ａは、凹所２の底面２ａにおいてハウジング３の前後方向へ間隔をあけて設けられた第１，２固定部１７ａ，１７ｂ間をスライド可能に底面２ａに支持されている。基台１４ａは、該基台１４ａと第１固定部１７ａとの間に配置されたコイルバネ１４ｃによりハウジング３の後方向へ向かって付勢され、第２固定部１７ｂに当接して静止している。
【００１８】
ハンドル４が図４〜６に示す起立状態からハウジング３の凹所２内へ向かって倒伏されると、ハンドル本体部６における第１係止部１３の係止棒１３ｂが、静止している第２係止部１４の各フック１４ｂに当接する。各フック１４ｂは、その頭部が曲面状に形成されているので、係止棒１３ｂがフック頭部の曲面に当接すると、各フック１４ｂがハウジング３の前方向へ押され、第２係止部１４が底面２ａ上をスライドする。係止棒１３ｂが各フック１４ｂの爪下に入ると、バネ付勢力が第２係止部１４を後方向へ押し戻して係止棒１３ｂとの係止状態を維持する（図３参照）。
【００１９】
ハンドル部７は、前述したように各アーム７ｂの端部から下方向へ突出したレバー部７ｃで構成される起動手段を有している。レバー部７ｃは、ハンドル部７が、図２に仮想線で示されるようにハンドル本体部６に相対して凹所２から起立する方向（Ｙ２方向）へ旋回されたとき、第１係止部１３のスライダー１３ａを前端面から押して、これを後方向へ移動させ、係止棒１３ｂを第２係止部１４の各フック１４ｂから離脱させる。なお、ハンドル本体部６の凹所２内における適所には、コイルバネ２６（図３，６参照）の一端が係止され、他端はハウジング３における底面２ａの適所に係止されており、ハンドル本体部６は、ハウジング３の凹所２内へ倒伏する方向へバネ付勢されている。
【００２０】
図７は、ハンドル本体部６の上面を一部破断して凹部６ｃ内を示す部分断面斜視図である。図７に示すように、扉開閉ハンドル装置１には、インジケーター１８が設けられている。インジケーター１８は、ハンドル本体部６に設けられており、ロック用係止手段１５の第１係止部１３が第２係止部１４に係止しているロック状態と第２係止部１４から離脱した非ロック状態とを表示する。インジケーター１８は、ハンドル本体部６の表面に形成された表示窓１９を有し、この表示窓１９はハンドル本体部６の上面から下面側の凹部６ｃに貫通する開口により形成されている。ハンドル本体部６の凹部６ｃ内には、移動体２０がハンドル本体部６の前後方向へ移動可能に設けられている。具体的には、ハンドル本体部６の凹部６ｃ内に、ハンドル本体部６の上面と間隔をあけた位置に支持板２１が取り付けられ、移動体２０は支持板２１とハンドル本体部６の上面との間で該支持板２１上をロック状態を表示する前方側の表示位置と非ロック状態を表示する後方側の表示位置との間を往復動するように摺動可能に配置されている。移動体２０は、前方側表示位置（前方向）へ向かってバネ付勢されている。
【００２１】
移動体２０は、支持板２１上に乗った表示体２２ａと、前後方向に直交する幅方向側における表示体２２ａの両側面から該幅方向へ突出した腕部２２ｂとから構成されている。表示体２２ａにおいて支持板２１に摺接する底面とは反対側の上面には、移動体２０が前方側表示位置にあるとき、表示窓１９に整合する第１表示２３ａと、後方側表示位置にあるとき、表示窓１９に整合する第２表示２３ｂとが設けられている。移動体２０は、ハンドル４がハウジング３の凹所２内へ向かって倒伏され、第１係止部１３が第２係止部１４に係止し始めると同時に、第２係止部１４における各フック１４ｂの頭部に腕部２２ｂが当接し、頭部の曲面により腕部２２ｂが後方向へ押され、表示体２２ａがバネ付勢に抗して第１表示位置へ向かって支持板２１上を摺動して第１表示２３ａが表示窓１９に整合する。
【００２２】
ハンドル４が旋回されて凹所２から起立すると、第１係止部１３が第２係止部１４から離脱するので、腕部２２ｂが各フック１４ｂの頭部による押圧が解除され、バネ付勢力により表示体２２ａが後方側表示位置の方向へ移動して、第２表示２３ｂが表示窓１９に整合する。
【００２３】
ハンドル本体部７には、図１，３，４に示されるように錠２４と、この錠２４の鍵穴２４ａに挿入される鍵（図示せず）で操作可能な回動部２５とを備えている。回動部２５は、錠２４の鍵穴２４ａに挿入された鍵で回転され、回転部２５の背面側に突出した軸部２５ａには、ほぼ矩形状のラッチ板２５ｂが取り付けられている。ハンドル本体部７がハウジング３の凹所２内に収納されているとき、錠２４の回動部２５が鍵によって回動されると、ラッチ板２５ｂが旋回し、ラッチ板２５ｂの先端部が、第１固定部１７ａに形成された溝部に出入りしてハンドル本体部６の旋回動作を阻止し、又はその阻止を解除する。
【００２４】
この扉開閉ハンドル装置１によると、ロック用係止手段１５が、ハンドル本体部６に直線方向へ可動に設けられた第１係止部１３と、ハンドル本体部６をハウジング３の凹所２に収納したときに第１係止部１３に係止する第２係止部１４とから構成されているので、構造が単純なことから、組み立てが容易である。また、扉開閉ハンドル装置１では、ロック状態と非ロック状態とを表示するようにしたので、ハンドル４が凹所２内に不完全に収納されていて、第１係止部１３と第２係止部１４とが完全に係止していないときの状態を遠くからでも一目で確認することができ、扉閉鎖時の非ロック状態に容易に気づき、それを防止することができる。
【００２５】
【発明の効果】
本発明に係る扉開閉ハンドル装置によれば、ロック用係止手段が、ハンドル本体部に直線方向へ可動に設けられた第１係止部と、ハンドル本体部をハウジングの凹所に収納したときに第１係止部に係止する第２係止部とから構成されているので、構造が単純なことから、組み立てが容易である。
【００２６】
また、本発明に係る扉開閉ハンドル装置によれば、ロック状態と非ロック状態とを表示するようにしたので、ハンドルが凹所内に不完全に収納されていて、第１係止部と第２係止部とが完全に係止していないときの状態を遠くからでも一目で確認することができ、扉閉鎖時の非ロック状態に容易に気づき、それを防止することができる。
【図面の簡単な説明】
【図１】ハンドルを凹所に収納した状態で示す扉開閉ハンドル装置の平面図。
【図２】図１のＩＩ−ＩＩ線で切断して示す扉開閉ハンドル装置の断面図。
【図３】図１のＩＩＩ−ＩＩＩ線で切断して示す扉開閉ハンドル装置の断面図。
【図４】ハンドルを起立させた状態で示す扉開閉ハンドル装置の斜視図。
【図５】ハンドルをハウジングに対してほぼ直角に起立させた状態で示す扉開閉ハンドル装置の平面図。
【図６】ハンドルをハウジングに対してほぼ直角に起立させた状態で示す扉開閉ハンドル装置の側面図。
【図７】ハンドル本体部の上面を一部破断して凹部内のインジケーターを示す部分的な斜視図。
【符号の説明】
１  扉開閉ハンドル装置
２  凹所
２ａ  底面
２ｂ  側壁
３  ハウジング
３ａ  前端部
３ｂ  後端部
４  ハンドル
５  施錠用ロッド
６  ハンドル本体部
６ａ  前端部
６ｂ  後端部
６ｃ  凹部
７  ハンドル部
７ａ  握持部
７ｂ  一対のアーム
７ｃ  レバー部（起動手段）
８  旋回軸線（旋回軸）
１３  第１係止部
１４  第２係止部
１５  ロック係止用手段
１８  インジケーター
１９  表示窓
２０  移動体
２２ａ  表示体
２２ｂ  腕部
２３ａ  第１表示
２３ｂ  第２表示
【図１】
2004176471.tif 000003
【図２】
2004176471.tif 000004
【図３】
2004176471.tif 000005
【図４】
2004176471.tif 000006
【図５】
2004176471.tif 000007
【図６】
2004176471.tif 000008
【図７】
2004176471.tif 000009